(57)【特許請求の範囲】
【請求項１】
鈴棒（１）と、鈴棒載置台（２）とを備え、
前記鈴棒（１）が、略棒状の基部（１１）と、該基部（１１）の一端に設けられた打撃部（１２）とを有し、該打撃部（１２）が球形であり、
前記鈴棒載置台（２）が、上方に開口した凹部（２１）を有しており、
前記打撃部（１２）を前記凹部（２１）に嵌め込むことができるものであり、
前記凹部（２１）の底面（２２）が断面楕円形の曲面状に形成されており、前記打撃部（１２）を前記凹部（２１）に嵌め込んだ際に、前記打撃部（１２）が前記底面（２２）の中心に一点で接触することを特長とする打鈴具。
【発明の詳細な説明】
【技術分野】
【０００１】
本発明は、鈴を打ち鳴らすための鈴棒と、鈴棒を載置するための鈴棒載置台とを備える打鈴具に関する。
【背景技術】
【０００２】
従来、鈴を打ち鳴らすための鈴棒を載置する鈴棒載置台として、種々のものが提案されている。たとえば、特許文献１および２には、鈴棒載置台が、鈴を載せる鈴台に一体的に設けられており、この載置台に鈴棒を横置きするものが記載されている。また、特許文献３には、鈴棒の先端を挿入する開口部を有し、鈴棒を縦置きする載置台が記載されている。
【先行技術文献】
【特許文献】
【０００３】
【特許文献１】実開平７−７５７８号公報
【特許文献２】特開平７−２５０７５３号公報
【特許文献３】実用新案登録第３１０２７５７号公報
【発明の概要】
【発明が解決しようとする課題】
【０００４】
これらの文献に記載された発明は、いずれも省スペース化を実現するためのものであるが、鈴棒を載置する場所が限られたり、鈴棒の置き方が横置きか縦置きのどちらかに限定されたりして、自由度が少ないという問題があった。
【０００５】
本発明は、上記事情を鑑みたものであり、鈴を打ち鳴らすための鈴棒と、設置場所や鈴棒の置き方の自由度が高い鈴棒載置台とを備える打鈴具を提供することを目的とする。
【課題を解決するための手段】
【００１２】
本発明は、鈴棒と、鈴棒載置台とを備え、前記鈴棒が、略棒状の基部と、該基部の一端に設けられた打撃部とを有し、該打撃部が球形であり、前記鈴棒載置台が、上方に開口した凹部を有しており、前記打撃部を前記凹部に嵌め込むことができるものであり、前記凹部の底面が断面楕円形の曲面状に形成されており、前記打撃部を前記凹部に嵌め込んだ際に、前記打撃部が前記底面の中心に一点で接触することを特長とする。
【発明の効果】
【００２０】
本発明によれば、打撃部を凹部に嵌め込むだけで、鈴棒を鈴棒載置台に載置できる。この際、棒状の基部を掴んで上方から鈴棒を鈴棒載置台に載せるようにすればよく、取り扱いが非常に容易である。また、鈴棒は縦置きに載置可能で、基部が上を向くから、使用時には基部を掴んですぐ打鈴の動作に入ることができる。さらに、鈴棒載置台が、鈴棒の端部のみを支持する構造であるから、小さいもので済むので、鈴棒載置台を種々の場所に自由に設置することができる。また、凹部の底面を曲面状にして、打撃部が底面に点接触するようにすることで、鈴棒載置台に載置した鈴棒が揺れるようになり、通常の静止した状態とは異なった演出効果を得ることができる。
【図面の簡単な説明】
【００２２】
【図１】打鈴具の第一実施形態において鈴棒を縦置きする場合を示し、（ａ）は斜視図、（ｂ）は中心軸断面図である。
【図２】打鈴具の第一実施形態において鈴棒を横置きする場合を示す斜視図である。
【図３】打鈴具の第二実施形態において鈴棒を縦置きする場合を示し、（ａ）は斜視図、（ｂ）は中心軸断面図である。
【図４】打鈴具の第二実施形態において鈴棒を横置きする場合を示す斜視図である。
【図５】打鈴具の第三実施形態を示し、（ａ）は斜視図、（ｂ）は中心軸断面図である。
【図６】打鈴具の第四実施形態を示す斜視図である。
【発明を実施するための形態】
【００２３】
本発明の打鈴具の具体的な構成について、各図面に基づいて説明する。まず、図１および図２に示すのは、打鈴具の第一実施形態であり、この打鈴具は、鈴棒１と、鈴棒載置台２とを備えている。鈴棒１は、丸棒状の基部１１と、基部１１の一端に設けられた打撃部１２と、基部１１の他端に設けられたつまみ部１４からなる。打撃部１２は、基部１１側が丸く膨らみ、先端側が尖った形状で、その中心軸断面形状はハート形である。このように、先端部を含めて打撃部１２全体が外側に凸な形状であるから、打撃部１２全体が凸部１３であるといえる。また、つまみ部１４は、基部１１より直径の大きな球形である。一方、鈴棒載置台２は、直径の異なる円盤を二枚重ねにした形状であり、上面には凹部２１が形成されている。凹部２１は、図１（ｂ）に示すように、鈴棒１の先端の凸部１３がちょうど嵌り込むよう、すり鉢状になっている。そして、凹部２１は鈴棒載置台２の下方に貫通している。なお、鈴棒１および鈴棒載置台２の素材としては、金属、木材や樹脂など、種々のものが用いられ、鈴棒１と鈴棒載置台２の素材が異なっていてもよい。
【００２４】
このように構成した打鈴具の第一実施形態は、打撃部１２先端の凸部１３を凹部２１に嵌め込むだけで、鈴棒１を鈴棒載置台２に載置できる。この際、棒状の基部１１を掴んで上方から鈴棒１を鈴棒載置台２に載せるようにすればよく、取り扱いが非常に容易である。また、鈴棒１は縦置きに載置可能で、基部１１が上を向くから、使用時には基部１１を掴んですぐ打鈴の動作に入ることができる。そしてこの際、つまみ部１４に指が掛けられるので掴みやすい。一方、図２に示すように、打撃部１２の側面の凸部１３を凹部２１に嵌め込んで、鈴棒１を横置きすることもできる。さらに、鈴棒載置台２が、鈴棒１の端部のみを支持する構造であるから、小さいもので済むので、鈴棒載置台２を種々の場所に自由に設置することができる。また、鈴棒載置台２の凹部２１が下方に貫通していることにより、凹部２１内にごみなどが溜まりにくい。
【００２５】
続いて、図３および図４に示すのは、打鈴具の第二実施形態であり、第一実施形態とは、鈴棒１の打撃部１２の形状および鈴棒載置台２の形状が異なる。打撃部１２は球形であり、先端部を含めて打撃部１２全体が外側に凸な形状であるから、打撃部１２全体が凸部１３であるといえる。基部１１およびつまみ部１４の形状は、第一実施形態と同様である。そして、鈴棒載置台２は、樹脂製のＯリングからなる。
【００２６】
このように構成した打鈴具の第二実施形態は、第一実施形態と同様、鈴棒１を載置する際の取り扱いが容易であって、図３に示すような縦置きにも、図４に示すような横置きにもすることができる。さらに、打撃部１２が球形であるから、打撃部１２のどの部分でも鈴棒載置台２の凹部２１に嵌め込めるので、基部１１を設置面に対して自由な角度で傾斜させて載置することもできる。また、鈴棒載置台２にはＯリングをそのまま用いることができるので、極めて簡易に構成することができる。そして、鈴棒載置台２が樹脂製であるから、設置面や鈴棒１と柔軟に接触して滑りにくくなるとともに、接触音を低減することができる。
【００２７】
また、図５に示すのは、打鈴具の第三実施形態であり、第二実施形態とは、鈴棒載置台２の形状が異なる。第三実施形態において、鈴棒載置台２は、略円錐台形状であり、上面には凹部２１が形成されている。凹部２１は、図５（ｂ）に示すように、底面２２が曲面状（断面楕円形）に形成されている。一方、鈴棒１の形状は、第二実施形態と同様であり、打撃部１２が球形である。よって、鈴棒１の打撃部１２の凸部１３を凹部２１に嵌め込むと、凸部１３は底面２２に点接触する。
【００２８】
このように構成した打鈴具の第三実施形態は、第一実施形態と同様、鈴棒１を載置する際の取り扱いが容易である。そして、凹部２１の底面２２を曲面状にして、凸部１３が底面２２に点接触するようにしたことで、鈴棒載置台２に載置した鈴棒１が揺れるようになり、通常の静止した状態とは異なった演出効果を得ることができる。
【００２９】
さらに、図６に示すのは、打鈴具の第四実施形態であり、鈴棒１の形状は第二実施形態と同様である。そして、鈴棒載置台２が、第一実施形態と同様に、直径の異なる円盤を二枚重ねにした形状であり、上面には凹部２１が形成されていて、さらに凹部２１の周縁部の対向する二箇所に、略半円形状の切欠部２３が形成されている。切欠部２３の直径は、鈴棒１の基部１１の直径よりわずかに大きく、切欠部２３に基部１１を嵌め込むことができる。
【００３０】
このように構成した打鈴具の第四実施形態は、第一実施形態と同様、鈴棒１を載置する際の取り扱いが容易である。そして、一つの鈴棒載置台２で、鈴棒１の打撃部１２を凹部２１に嵌め込んで載置する方法と、鈴棒１の基部１１を切欠部２３に嵌め込んで載置する方法の、二通りの載置方法を実行することができる。
【００３１】
本発明は、上記の実施形態に限定されない。各部の形状や素材は、上記の要件さえ満たしていれば、意匠性などを考慮して自由に設定できる。
【符号の説明】
【００３２】
１  鈴棒
２  鈴棒載置台
１１  基部
１２  打撃部
１３  凸部
１４  つまみ部
２１  凹部
２２  底面
２３  切欠部
【図１】
0005978437.tif 000002
【図２】
0005978437.tif 000003
【図３】
0005978437.tif 000004
【図４】
0005978437.tif 000005
【図５】
0005978437.tif 000006
【図６】
0005978437.tif 000007